(57)【要約】方法および装置が提供される。この装置は、それぞれがロジックを有する複数の電子デバイスを備える。また、この装置は、フレーム構成パラメータを備えるプレアンブルを受信し、プレアンブルからフレーム構成パラメータを抽出し、このフレーム構成パラメータを復調することによってフレーム構成を決定するように構成されている。
2009514452.tif 000002
【特許請求の範囲】
【請求項１】
無線通信システムにおける方法であって、
少なくとも１つの物理フレーム構成パラメータを備えるプレアンブルを受信することと、
前記物理フレーム構成パラメータを用いて、順方向リンク物理フレーム構成を決定することと
を備える方法。
【請求項２】
少なくとも１つの逆方向リンク物理フレーム構成パラメータを受信することと、
少なくとも１つの順方向リンク物理フレーム構成パラメータを受信することと
を備える請求項１に記載の方法。
【請求項３】
前記物理フレーム構成パラメータを用いて、逆方向リンク物理フレーム構成を決定することを更に備える請求項１に記載の方法。
【請求項４】
前記物理フレーム構成を決定することは、データをブロードキャストするために指定された前記プレアンブルの第１の部分を抽出することを備える請求項１に記載の方法。
【請求項５】
前記物理フレーム構成を決定することは、前記プレアンブルの前記第１の部分を復調することを備える請求項４に記載の方法。
【請求項６】
物理フレーム構成パラメータを受信することは、周期的プレフィックス・パラメータおよび帯域幅パラメータを受信することを備える請求項１に記載の方法。
【請求項７】
物理フレーム構成パラメータを受信することは、複数のガード・キャリア・パラメータを受信することを備える請求項１に記載の方法。
【請求項８】
少なくとも１つの逆方向リンク物理フレーム構成パラメータを備える順方向リンク物理フレームを受信することと、
前記逆方向リンク物理フレーム構成パラメータを用いることによって、逆方向物理フレーム構成を決定することと
を更に備える請求項１に記載の方法。
【請求項９】
無線通信システムにおける方法であって、
記憶媒体から物理フレーム構成パラメータを抽出することと、
前記物理フレーム構成パラメータを備えるプレアンブルを生成することと、
前記プレアンブルを送信することと
を備える方法。
【請求項１０】
前記物理フレーム構成パラメータを抽出することは、順方向リンク物理フレーム構成パラメータを抽出することを備え、
前記順方向リンク物理フレーム構成パラメータは、周期的プレフィックス・パラメータ、帯域幅パラメータ、および複数のガード・キャリア・パラメータを備える請求項９に記載の方法。
【請求項１１】
無線通信において動作可能な装置であって、
プロセッサを備え、
前記プロセッサは、少なくとも１つの物理フレーム構成パラメータを備えるプレアンブルを受信するように構成され、前記プロセッサは、受信した物理フレーム構成パラメータを用いて、順方向リンク物理フレーム構成を決定するように構成された装置。
【請求項１２】
前記プロセッサは更に、
少なくとも１つの逆方向リンク物理フレーム構成パラメータを受信するように構成され、少なくとも１つの順方向リンク物理フレーム構成パラメータを受信するように構成された請求項１１に記載の装置。
【請求項１３】
前記プロセッサは更に、前記物理フレーム構成パラメータを用いて、逆方向リンク物理フレーム構成を決定するように構成された請求項１１に記載の装置。
【請求項１４】
前記プロセッサは、データをブロードキャストするために指定された前記プレアンブルの第１の部分を抽出するように構成された請求項１１に記載の装置。
【請求項１５】
前記プロセッサは更に、前記プレアンブルの前記第１の部分を復調するように構成された請求項１４に記載の装置。
【請求項１６】
前記プロセッサは更に、周期的プレフィックス・パラメータおよび帯域幅パラメータを受信するように構成された請求項１１に記載の装置。
【請求項１７】
前記プロセッサは更に、複数のガード・キャリア・パラメータを受信するように構成された請求項１１に記載の装置。
【請求項１８】
前記プロセッサは更に、少なくとも１つの逆方向リンク物理フレーム構成パラメータを備える順方向リンク物理フレームを受信するように構成され、
前記プロセッサは、前記逆方向リンク物理フレーム構成パラメータを用いることによって、逆方向リンク物理フレーム構成を決定するように構成された請求項１１に記載の装置。
【請求項１９】
無線通信において動作可能な装置であって、
プロセッサを備え、
前記プロセッサは、記憶媒体から物理フレーム構成パラメータを抽出するように構成され、前記物理フレーム構成パラメータを備えるプレアンブルを生成するように構成され、前記プレアンブルを送信するように構成された装置。
【請求項２０】
前記プロセッサは、順方向リンク物理フレーム構成パラメータを抽出するように構成され、前記順方向リンク物理フレーム構成パラメータは、周期的プレフィックス・パラメータ、帯域幅パラメータ、および複数のガード・キャリア・パラメータを備える請求項１９に記載の装置。
【請求項２１】
無線通信システムにおいて動作可能な装置であって、
少なくとも１つの物理フレーム構成パラメータを備えるプレアンブルを受信する手段と、
前記物理フレーム構成パラメータを用いて、順方向リンク物理フレーム構成を決定する手段と
を備える装置。
【請求項２２】
少なくとも１つの逆方向リンク物理フレーム構成パラメータを受信する手段と、
少なくとも１つの順方向リンク物理フレーム構成パラメータを受信する手段と
を備える請求項２１に記載の装置。
【請求項２３】
前記物理フレーム構成パラメータを用いて、逆方向リンク物理フレーム構成を決定する手段を更に備える請求項２１に記載の装置。
【請求項２４】
前記物理フレーム構成パラメータを用いて、順方向リンク物理フレーム構成を決定する手段は、データをブロードキャストするために指定された前記プレアンブルの第１の部分を抽出する手段を備える請求項２１に記載の装置。
【請求項２５】
前記物理フレーム構成パラメータを用いて、順方向リンク物理フレーム構成を決定する手段は、前記プレアンブルの前記第１の部分を復調する手段を備える請求項２４に記載の装置。
【請求項２６】
少なくとも１つの物理フレーム構成パラメータを備えるプレアンブルを受信する手段は、周期的プレフィックス・パラメータおよび帯域幅パラメータを受信する手段を備える請求項２１に記載の装置。
【請求項２７】
少なくとも１つの物理フレーム構成パラメータを備えるプレアンブルを受信する手段は、複数のガード・キャリア・パラメータを受信する手段を備える請求項２１に記載の装置。
【請求項２８】
少なくとも１つの逆方向リンク物理フレーム構成パラメータを備える順方向リンク物理フレームを受信する手段と、
前記逆方向リンク物理フレーム構成パラメータを用いることによって、逆方向リンク物理フレーム構成を決定する手段と
を更に備える請求項２１に記載の装置。
【請求項２９】
無線通信システムにおいて動作可能な装置であって、
記憶媒体から物理フレーム構成パラメータを抽出する手段と、
前記物理フレーム構成パラメータを備えるプレアンブルを生成する手段と、
前記プレアンブルを送信する手段と
を備える装置。
【請求項３０】
前記物理フレーム構成パラメータを抽出する手段は、順方向リンク物理フレーム構成パラメータを抽出することを備え、
前記順方向リンク物理フレーム構成パラメータは、周期的プレフィックス・パラメータ、帯域幅パラメータ、および複数のガード・キャリア・パラメータを備える請求項２９に記載の装置。
【請求項３１】
機械読取可能媒体であって、機械によって実行された場合、
少なくとも１つの物理フレーム構成パラメータを備えるプレアンブルを受信することと、
前記物理フレーム構成パラメータを用いて、順方向リンク物理フレーム構成を決定することと
を含む動作を前記機械に実行させる命令群を備えた機械読取可能媒体。
【請求項３２】
少なくとも１つの逆方向リンク物理フレーム構成パラメータを受信することと、
少なくとも１つの順方向リンク物理フレーム構成パラメータを受信することと
を実行させる機械読取可能な命令を更に備えた請求項３１に記載の機械読取可能媒体。
【請求項３３】
前記物理フレーム構成パラメータを用いて、逆方向リンク物理フレーム構成を決定することを実行させる機械読取可能な命令を更に備えた請求項３１に記載の機械読取可能媒体。
【請求項３４】
少なくとも１つの物理フレーム構成パラメータを備えるプレアンブルを受信させる機械読取可能な命令は、周期的プレフィックス・パラメータおよび帯域幅パラメータを受信させる機械読取可能な命令を備える請求項３１に記載の機械読取可能媒体。
【請求項３５】
少なくとも１つの物理フレーム構成パラメータを備えるプレアンブルを受信させる機械読取可能な命令は、複数のガード・キャリア・パラメータを受信させる機械読取可能な命令を備える請求項３１に記載の機械読取可能媒体。
【請求項３６】
機械読取可能媒体であって、機械によって実行された場合、
記憶媒体から物理フレーム構成パラメータを抽出することと、
前記物理フレーム構成パラメータを備えるプレアンブルを生成することと、
前記プレアンブルを送信することと
を含む動作を前記機械に実行させる命令群を備えた機械読取可能媒体。
【請求項３７】
前記物理フレーム構成パラメータを抽出させる機械読取可能な命令は、順方向リンク物理フレーム構成パラメータを抽出させる機械読取可能な命令を備え、
前記順方向リンク物理フレーム構成パラメータは、周期的プレフィックス・パラメータ、帯域幅パラメータ、および複数のガード・キャリア・パラメータを備える請求項３６に記載の機械読取可能媒体。
【発明の詳細な説明】
【技術分野】
【０００１】
本説明は、一般に、ブートストラップ技術に関し、更に詳しくは、アクセス端末が、通信システムにおける順方向通信リンクおよび逆方向通信リンクの構成を決定できる方式で、順方向リンクにおける情報／パラメータをブートストラップすることに関する。
【背景技術】
【０００２】
無線通信システムは、たとえば音声、データ等のような様々なタイプの通信コンテンツを提供するために広く展開している。これらシステムは、利用可能なシステム・リソース（例えば、帯域幅および送信電力）を共有することによって、複数のユーザとの通信をサポートすることができる多元接続システムでありうる。そのような多元接続システムの一例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含んでいる。
【０００３】
一般に、無線多元接続通信システムは、複数の無線アクセス端末（ＡＴ）のための通信を同時にサポートすることができる。ＡＴはそれぞれ、順方向リンクおよび逆方向リンクによる送信によって１または複数の基地局と通信する。順方向リンク（あるいはダウンリンク）は、基地局からＡＴへの通信リンクを称し、逆方向リンク（あるいはアップリンク）は、ＡＴから基地局への通信リンクを称する。
【０００４】
順方向リンク（ＦＬ）および逆方向リンク（ＫＬ）の構成には多くの可能な設定がある。ＡＴが、システムの全能力の利用を開始するために、ＡＴは、ＦＬおよびＲＬがどのように設定されているかをある程度知っておかねばならない。ＯＦＤＭＡシステムでは、例えば、ガード・キャリアやサブ・キャリアの数、パイロットの数等、ＦＬおよびＲＬの構成の多くの可能な設定が存在する。ＦＬ／ＲＬ構成情報／パラメータがなければ、新たなセクタに入るか、新たなセクタでウェイク・アップするかの何れかであるＡＴは、ＦＬ／ＲＬ物理チャネルで何の情報も受信することができないだろう。その問題を解決する可能な１つの方法は、既知の設定のセットをＡＴに提供し、ＡＴに対して、これら設定をメモリ内に保持させることだろう。しかしながら、必要とされる設定パラメータの総量によって、ＡＴデバイス上に大量の記憶装置が必要となるであろう。しかしながら、ＡＴが、必要とされる設定パラメータを格納する能力を持っていても、オペレータが、ネットワークの全てまたは一部にわたって設定の変更／修正を要するのであれば、顕著な問題が生じるだろう。新たな基地局、または、新たな設定を備えた基地局に関し、ＡＴは、通信リンクをセット・アップするために、全ての設定可能性にわたって徹底的に探索する必要があろう。あるいは、ＡＴの所有者は、別の情報ネットワークからこの新たな設定をダウンロードすることができるか、あるいは、アップデートされた設定を得るために、システムのオペレータの元へ赴くだろう。従って、ＡＴによる時間を浪費する徹底的な探索を必要とせず、ＦＬおよびＲＬの構成をＡＴに提供する便利な方法に対するニーズが存在する。更に、そのような解決策は、ネットワーク・オペレータが、ＡＴの性能を妥協することなく、また、ＡＴの所有者に過度な負荷をかけることなく、必要に応じてネットワークにおける設定を変更することを可能にするべきである。
【発明の開示】
【０００５】
本特許出願は、以下に示す同時係属中の米国特許出願と関連している。
【０００６】
"MOBILE WIRELESS ACCESS SYSTEM"と題され、本願と同時に出願され、本願の譲受人に譲渡され、本明細書において参照によって明確に組み込まれている代理人整理番号０６００８１号。
【発明の概要】
【０００７】
局面では、装置は、それぞれがロジックを有する複数の電子デバイスを備えている。ここで、この装置は、少なくとも１つの物理フレーム構成パラメータを備えるプレアンブルを受信し、この受信した物理フレーム構成パラメータを用いることによって、ＦＬ物理フレーム構成を決定するように構成されている。
【０００８】
局面では、装置は、それぞれがロジックを有する複数の電子デバイスを備える。ここで、この装置は、少なくとも１つのＲＬ物理フレーム構成パラメータを備えるＲＬ物理フレームを受信し、このＲＬ物理フレーム構成パラメータを用いることによってＲＬ物理フレーム構成を決定するように構成される。
【０００９】
これら局面の全ての利点および範囲のより完全な理解は、添付図面、詳細説明、および特許請求の範囲から得ることができる。
【詳細な説明】
【００１０】
本開示の特徴、本質、および利点は、同一符号が全体を通じて対応した同一のものを示す図面と連携した下記詳細記載からより明らかになるであろう。
【００１１】
図１に示すように、１つの局面に従った多元接続無線通信システムが例示される。アクセス・ポイント１００（ＡＰ）は、１０４と１０６を含む１つのグループ、１０８と１１０とを含む別のグループ、１１２と１１４とを含む追加グループからなる多くのアンテナ・グループを含む。図１では、各アンテナ・グループにつき２つのみのアンテナしか示されていない。しかしながら、これより多いまたは少ないアンテナを各アンテナ・グループについて利用することができる。幾つかの局面では、アクセス・ポイント１００は、トラフィック・ラジオ・ユニットと、１または複数の高電力増幅器と、中央処理装置と、１または複数の送信機と、１または複数のマイクロ波アンテナと、光ファイバ・マルチプレクサと、１または複数のメモリ・モジュールと１または複数の結合器とをネットワーク接続するインターネット・プロトコル・スイッチとを備える。
【００１２】
アクセス端末１１６（ＡＴ）は、アンテナ１１２，１１４と通信しており、アンテナ１１２，１１４は、順方向リンク１２０によってアクセス端末１１６へ情報を送信し、逆方向リンク１１８によってアクセス端末１１６から情報を受信する。アクセス端末１２２は、アンテナ１０６，１０８と通信しており、アンテナ１０６，１０８は、順方向リンク１２６によってアクセス端末１２２へ情報を送信し、逆方向リンク１２４によってアクセス端末１２２から情報を受信する。
【００１３】
アンテナの各グループ、および／または、これらアンテナが通信するように設計されたエリアは、しばしばアクセス・ポイントのセクタと称される。局面では、アンテナ・グループは各々、アクセス・ポイント１００によってカバーされるエリアのセクタ内のアクセス端末と通信するように設計される。
【００１４】
アクセス・ポイントは、端末との通信のために使用される固定局でありうる。また、基地局、ノードＢ、またはその他の専門用語で称される。アクセス端末は、移動局、ユーザ機器（ＵＥ）、無線通信デバイス、端末、アクセス端末、またはその他の専門用語でも呼ばれる。
【００１５】
図２は、通信システム２００における送信機システム２１０（アクセス・ポイントとしても知られている）および受信機システム２５０（アクセス端末としても知られている）の局面のブロック図である。送信機システム２１０では、多くのデータ・ストリーム用のトラフィック・データが、データ・ソース２１２から送信（ＴＸ）データ・プロセッサ２１４に与えられる。
【００１６】
局面では、各データ・ストリームは、それぞれの送信アンテナを介して送信される。ＴＸデータ・プロセッサ２１４は、符号化データを提供するために、データ・ストリームのために選択された特定の符号化スキームに基づいて、各データ・ストリームのトラフィック・データをフォーマットし、符号化し、インタリーバする。
【００１７】
各データ・ストリームの符号化データは、ＯＦＤＭ技術を使用して、パイロット・データとともに多重化されうる。パイロット・データは、一般に、周知の方法で処理された周知のデータ・パターンであり、受信機システムにおいて、チャネル応答を推定するために使用されうる。各データ・ストリームの多重化されたパイロットおよび符号化データはその後、変調シンボルを提供するためにデータ・ストリームについて選択された特定の変調スキーム（例えば、ＢＰＳＫ、ＱＳＰＫ、Ｍ−ＰＳＫ、またはＭ−ＱＡＭ）に基づいて変調（すなわち、シンボル・マップ）される。各データ・ストリームのデータ・レート、符号化、および変調は、プロセッサ２３０によって実行される命令によって決定されうる。
【００１８】
その後、全データ・ストリームの変調シンボルは、送信機（ＴＭＴＲ）２２２に与えられる。各送信機２２２はそれぞれシンボル・ストリームを受信し、処理して、１または複数のアナログ信号を提供する。更に、チャネルを介した送信に適切な変調信号を提供するために、このアナログ信号を調整（例えば、増幅、フィルタ、およびアップコンバート）する。その後、送信機からの変調信号は、アンテナ２２４から送信される。
【００１９】
受信機システム２５０では、送信された変調信号がアンテナ２５２によって受信され、各アンテナ２５２からの受信信号が受信機（ＲＣＶＲ）２５４へ提供される。受信機２５４は、各受信信号を調整（例えば、フィルタ、増幅、およびダウンコンバート）し、この調整された信号をデジタル化してサンプルを提供し、更に、このサンプルを処理して、対応する「受信」シンボル・ストリームを提供する。
【００２０】
そして、ＲＸデータ・プロセッサ２６０は、受信機２５４からの受信シンボル・ストリームを受信し、特定の受信機処理技術に基づいて処理し、「検出済」シンボル・ストリームを提供する。その後、ＲＸデータ・プロセッサ２６０は、そのデータ・ストリームのトラフィック・データを復元するために、検出済シンボル・ストリームを復調し、逆インタリーブし、復号する。ＲＸデータ・プロセッサ２６０によるこの処理は、送信機システム２１０においてＴＸデータ・プロセッサ２１４によって実行されるものと相補的である。
【００２１】
新たなセクタに入った場合、または、ウェイク・アップ・シーケンスの間、プロセッサ２７０は、後述する処理３００を実行することによって、ＦＬ構成およびＲＬ構成を決定する。その後、逆方向リンク・メッセージが、データ・ソース２３６からの多くのデータ・ストリームのトラフィック・データをも受信するＴＸデータ・プロセッサ２３８によって処理され、変調器２８０によって変調され、送信機２５４によって調整され、送信機システム２１０へ送り戻される。
【００２２】
送信機システム２１０では、受信機システム２５０からの変調信号がアンテナ２２４によって受信され、受信機２２２によって調整され、復調器２４０によって復調され、ＲＸデータ・プロセッサ２４２によって処理されて、受信機システム２５０によって送信された逆方向リンク・メッセージが抽出される。
【００２３】
局面では、ＡＰとＡＴとの間での通信のために、順方向リンクおよび逆方向リンクが使用される。順方向リンクは、プレアンブルと、複数のＦＬ物理フレームとを含む。逆方向リンクは、複数のＲＬ物理フレームを含む。局面では、ＲＬ物理フレームおよびＦＬ物理フレームの構成は可変であり、もって、システムの性能を最適化するためにシステム・オペレータによって変更可能である。ＦＬ／ＲＬ構成が分からなければ、ＡＴは、ＦＬ物理フレーム上で何れの情報も受信できないし、ＲＬ物理フレーム上で何れの情報も送信できないだろう。プレアンブルの構成は可変でなく、局面に従ったシステムで動作するＡＰとＡＴとの両方に知られている。一般に、プレアンブルは、ブロードキャスト・チャネルに関する情報、オーバヘッド・メッセージ、およびＴＤＭパイロット情報等を備える。ＡＴは、新たなセクタに入る場合、または、現在サービス提供しているセクタが、使用するために異なるＦＬ／ＲＬ構成を示す場合、ＡＴは、アウェイク・アップ時間において、ＦＬ／ＲＬ構成を知ることを要求される。局面に従ったブートストラップ・メカニズムが提供される。それによって、ＡＰは、プレアンブル（ＦＬの非可変または固定構成部分）に情報を提供するだろう。プレアンブルによって、ＡＴは、ＦＬ／ＲＬ物理構成（可変構造部分）を決定することができるだろう。あるいは、ＡＴは、ＦＬ構成に関する情報をプレアンブル内に提供し、ＦＬ物理フレーム内にＲＬ構成パラメータを提供することができる。ＡＴがＦＬ物理フレーム構成を決定し、ＦＬ物理フレームを復号すると、ＡＴは、ＦＬ物理フレームからＲＬ物理フレーム構成を抽出することができる。
【００２４】
順方向リンク送信は、スーパーフレームからなる単位に分割される。スーパーフレームは、一連のＦＬ  ＰＦＹフレームが後続するスーパーフレーム・プレアンブルからなるものとする。図３は、スーパーフレーム・プレアンブル構成を示している。スーパーフレーム・プレアンブル３００は、例えば最初の５シンボルのオーバヘッド・チャネル、共通パイロット・チャネル（Ｆ−ＣＰＩＣＨ）、ブロードキャスト・チャネル（Ｆ−ｐＢＣＨ）、獲得チャネル（Ｆ−ＡＣＱＣＨ）、および干渉チャネル（Ｆ−ＯＳＩＣＨ）を搬送する。Ｆ−ＣＰＩＣＨは、アクセス端末によるチャネル推定のために使用されうるパイロットを含み、Ｆ−ｐＢＣＨは、アクセス端末が、順方向リンク・フレーム内に含まれるパラメータを復調するために利用する設定パラメータを含む。更に、それは、情報にページをつけるための情報を含むことができる。幾つかの局面では、それは、与えられたスーパーフレーム内に含まれるフレームのタイミングのためのパラメータを含むことができる。Ｆ−ＡＣＱＣＨは、アクセス端末が、キャリアのうちの１つで通信するために十分なタイミングおよびその他のパラメータを含むことができ、Ｆ−ＯＳＩＣＨは、アクセス端末における電力制御のために使用することができる。
【００２５】
スーパーフレーム・プレアンブル内の最後の３つのＯＦＤＭシンボルは、初期獲得のために使用される時分割多重化（ＴＤＸ）パイロットである。これらシンボルは、ＴＤＭパイロット１、ＴＤＭパイロット２、およびＴＤＭパイロット３とも称されよう。これらのうちの最初の２つはＦＬ獲得チャネル（Ｆ−ＡＣＱＣＨ）を形成する。一方、最後のものは、ＦＬ他セクタ干渉チャネル（Ｆ−ＯＳＩＣＨ）を送信するために再使用される。このシステムは、ＰＮプラニング要件を簡単にするために、多くのユニークなＰＮ符号（合計数４０９６）をサポートする。セクタはそれぞれ、ＰｉｌｏｔＰＮと呼ばれる０から４０９５までの数によって識別され、ＰＮプラニングは、同じＰｉｌｏｔＰＮを持つどの２つのセクタも、どの場所においても観察できないようになっている必要がある。
【００２６】
獲得複雑さを低減するために、多くのＰＮ符号を保持しながら、階層的パイロット構成が使用される。従って、ＴＤＭパイロット１は、２ビットの情報（すなわち、４つの可能な値をとる）のみを用いてスクランブルされる。ＴＤＭパイロット２は、８ビットの情報（すなわち、２５６の可能な値をとる）を用いてスクランブルされるが、そのうちの２つは、ＴＤＭパイロット１をスクランブルするために使用されるものと同じものである。最後に、ＴＤＭパイロット３は、１２ビットの情報を用いてスクランブルされる。これによって、我々は、４０９６個の異なるＰｉｌｏｔＰＮ値を識別できるようになる。更に、ＴＤＭ１は、周期的なパイロット（２つの周期からなる）であり、複雑さの低い遅延相関を用いて検出される。この遅延相関は、周波数同期を支援することのみならず、時間仮説の初期数を劇的に低減することができよう。
【００２７】
スーパーフレーム・プレアンブル内の最初の５つのＯＦＤＭシンボルは、２つのＦＬプライマリ・ブロードキャスト・チャネル、すなわちＦ−ｐＢＣＨ０とＦ−ｐＢＣＨ１とを搬送するために使用される。これらのチャネルは、ＡＴがＦＬ  ＦＨＹフレームを復調する前に持っている必要がある設定パラメータを運ぶ。
【００２８】
Ｆ−ｐＢＣＨ０パケットは、１６のスーパーフレームにわたって符号化され、各スーパーフレーム・プレアンブルにおけるＯＦＤＭシンボルのほぼ１／４を占める。従って、このチャネルは、極端に小さなオーバヘッドしか持たない。Ｆ−ｐＢＣＨｌパケットは、単一のスーパーフレームにわたって符号化され、各スーパーフレーム・プレアンブルにおいて、およそ４  ３／４のＯＦＤＭシンボルを占める。このチャネルの帯域幅オーバヘッドは、約２％である。
【００２９】
幾つかの局面では、オーバヘッド・メッセージは、システム情報ブロック（ＳＩＢ）、クイック・チャネル情報ブロック（ＱＣＩＢ）、および拡張チャネル情報メッセージ（ＥＣＩＭ）を備える。システム情報ブロックは、スーパーフレーム・プレアンブルにおいて、Ｆ−ｐＢＣＨ０チャネルによって送信される。それは、構成全体または大きなセクタ・グループにわたって一定であるように期待される情報を含む。それが運ぶパラメータは、周期的プレフィックス持続時間、ガード・キャリア数等を含む。更にそれは、スーパーフレーム・インデクスの１２のＬＳＢをも運ぶ。
【００３０】
クイック・チャネル情報ブロックは、スーパーフレーム・プレアンブル、更に詳しくは、奇数番号のスーパーフレーム・インデクスを持つスーパーフレームにおいて、Ｆ−ｐＢＣＨｌチャネルを介して送信される。それは、ＰＨＹフレーム内で送信された他のチャネルをＡＴが復調することを可能にするか、あるいは、ＰＨＹフレーム内で送信されたページをアイドルモードのＡＴが復調することを可能にする設定パラメータを含む。ＡＴは新たなセクタでウェイク・アップした場合であってもこれらページを復調できることが望ましいので、この情報は、ＡＰによって高い周期性で送信されうる。
【００３１】
拡張チャネル情報メッセージは、ＦＬおよびＲＬの構成と関連する追加の設定パラメータを含んでいる。これは、ＦＬ電力制御ビットの送信と関連するパラメータのみならず、ＲＬ設定と関連するパラメータも含んでいる。拡張チャネル情報メッセージは、例えば、電力制御グループ、セクタ情報グループ等のような幾つかのグループから構成される。このメッセージは、ブロードキャストＭＡＣ  ＩＤを用いて、予め定められたスーパーフレームにおいて、規則的なデータ・チャネルのように送信される。
【００３２】
ある局面では、スーパーフレーム内のシンボルの他の順序は、上述したようでなくても良い。更に、上述した情報タイプのうちの幾つかまたは全てを提供するために、より多くまたはより少ないシンボルを利用することもできる。提供されるシンボルの名前は、情報目的のみのためであって、変わりうる。
【００３３】
局面では、ＦＬ物理フレームは、以下のチャネルを含む。アクセス端末がシステムを獲得するために使用する獲得パイロットを運ぶ順方向獲得チャネル（Ｆ−ＡＣＱＣＨ）。補助パイロットを運ぶ順方向補助パイロット・チャネル（Ｆ−ＡｕｘＰＩＣＨ）。Ｆ−ｐＢＣＨｌは、Ｆ―ＡｕｘＰＩＣＨが存在するかを示す。共通パイロットを運ぶ順方向共通パイロット・チャネル（Ｆ−ＣＰＩＣＨ）。特定のアクセス端末のための情報を運ぶ順方向データ・チャネル（Ｆ−ＤＣＨ）。順方向データ・チャネル割当は、順方向共有シグナリング・チャネル（Ｆ−ＳＳＣＨ）割当によってアクセス端末へ割り当てられる。更に、ページ・メッセージおよびセクタ特有メッセージを含むブロードキャスト情報をも運ぶ。専用パイロットを運ぶ順方向専用パイロット・チャネル（Ｆ−ＤＰＩＣＨ）。ここで、Ｆ−ｐＢＣＨ０は、Ｆ−ＤＰＩＣＨが存在するかどうかを示すことができる。順方向リンク・データ・チャネル割当と逆方向リンク・データ・チャネル割当、アクセス許可、電力制御コマンド、および、逆方向データ・チャネル（Ｒ−ＤＣＨ）送信に対するアクノレッジメント情報を運ぶ順方向共有シグナリング・チャネル（Ｆ−ＳＳＣＨ）。
【００３４】
局面では、ＲＬ物理フレームは以下のチャネルを備えている。アクセス・ネットワークとの通信を開始するために、アクセス端末によって逆方向アクセス・チャンネル（Ｒ−ＡＣＨ）が使用される。タイミング補正を得るために、アクセス端末によって逆方向アクセス・チャネルも使用される。Ｆ−ＤＣＨを受信したというアクノレッジメント情報を運ぶ逆方向アクノレッジメント・チャネル（Ｒ−ＡＣＫＣＨ）。順方向リンク・チャネルの品質およびビーム・インデクスに関する情報を運ぶ逆方向ビーム・フィードバック・チャネル（Ｒ−ＢＦＣＨ）。アクセス端末によって受信されたようなセクタの順方向リンク・チャネルの品質に関する情報を運ぶ逆方向チャネル品質インジケータ・チャネル（Ｒ−ＣＱＩＣＨ）。逆方向チャネル品質インジケータ・チャネルはまた、所望の順方向リンク・サービス・セクタに関する情報も運ぶ。アクセス端末からの情報を運ぶ逆方向データ・チャネル（Ｒ−ＤＣＨ）。逆方向データ・チャネルは、Ｆ−ＳＳＣＨ割当によってアクセス端末に割り当てられる。パイロットを運ぶ逆方向パイロット・チャネル（Ｒ−ＰＩＣＨ）。アクセス端末に関する異なる品質のサービス・クラスで、バッファ・レベルに関する情報を運ぶ逆方向要求チャネル（Ｒ−ＲＥＱＣＨ）。逆方向要求チャネルは、所望の逆方向リンク・サービス・セクタに関する情報をも運ぶ。順方向リンク・チャネルのセグメントまたはサブ帯域の品質に関する情報を運ぶ逆方向サブ帯域フィードバック・チャネル（Ｒ−ＳＦＣＨ）。
【００３５】
上述したチャネルは利用される必要がなく、省略されうることも注目されるべきである。更に、上述したチャネルのうちの何れかに加えて、あるいはその代わりに、他のチャネルを利用することもできる。
【００３６】
局面では、ＦＬとＲＬとの両方の物理フレーム構成は、チップ・レート、帯域幅、ガード・キャリアの長さ、ガード・キャリアの数、または周期的プレフィックスのために使用されるパラメータ／値に基づいて変わりうる。例えば、システムは、４．９１５２、９．８３０４、または１９．６６０８Ｍｃｐｓのようなチップ・レートを用いて構成されうる。また、帯域幅は、約５ＭＨｚ、約１０ＭＨｚ、または約２０ＭＨｚでありうる。更に、ガード・キャリアは帯域幅の関数であり、ガード・キャリアの数は、システム要件に基づいて変わりうる。
【００３７】
図４Ａは、ＡＰプロセッサ２３０によって実行される局面に従う処理４００を例示する。ＦＬおよび／またはＲＬ構成が変わっていることをＡＰが検知するか、あるいは、セクタが初めて起動されると、処理４００が実行される。ブロック４０２では、メモリからＦＬおよびＲＬの構成パラメータを抽出するパラメータ抽出ロジックがプロセッサ２３０によって実行される。たとえこのＦＬ／ＲＬ構成を変えることできようとも、最適化された構成が、例えばメモリ２３２のようなメモリに格納される。ブロック４０４では、抽出されたＦＬ／ＲＬ物理フレーム構成パラメータをプレアンブル内に含めることによってプレアンブルを生成するロジックを、プロセッサ２３０が実行する。その後、ブロック４０６では、プレアンブルおよびＦＬ物理フレームを送信する送信ロジックが、プロセッサ２３０によって実行される。
【００３８】
図４Ｂは、ＡＰのプロセッサ２３０によって実行される代替局面に従う処理４２０を例示する。ブロック４２２では、例えばメモリ２３２のような記憶媒体からＦＬおよびＲＬの構成パラメータを抽出するパラメータ抽出ロジックが、プロセッサ２３０によって実行される。ブロック４２４では、プロセッサ２３０が、抽出されたＲＬ物理フレーム構成パラメータのみをプレアンブル中に含めることによって、プレアンブルを生成するロジックを実行する。ＲＬ構成パラメータは、ＦＬ物理フレームによって送られるデータに組み入れられうる。ブロック４２６では、プレアンブルおよびＦＬ物理フレームを送信するための送信ロジックがプロセッサ２３０によって実行される。代替局面によれば、ＡＰは、１または複数のＦＬ物理フレーム上で受信されたパラメータを復調し、ＲＬ物理フレーム構成を抽出する。
【００３９】
図５は、ＡＴのプロセッサ２７０によって実行される処理５００を例示する。この処理は、ＡＴがウェイク・アップ・ロジックを実行し新たなセクタに入るか、または、ＦＬ／ＲＬ構成が変化したとの指示をＡＴが受信すると実行される。ブロック５０２では、ＦＬ上でプレアンブル部分を受信するプレアンブル受信ロジックがプロセッサ２７０によって実行される。ブロック５０４では、ブロードキャスト・チャネルの１または複数からパラメータを抽出するパラメータ抽出ロジックがプロセッサによって実行される。局面では、プレアンブルのＦ−ｐＢＣＨ０およびｐＢＣＨｌが抽出される。ブロック５０６では、ブロードキャスト・チャネルの１又は複数から抽出されたパラメータを用いて、１または複数のオーバヘッド・チャネルを復調する復調ロジックがプロセッサ２７０によって実行される。ブロック５０８では、拡張チャネル・メッセージを抽出する抽出ロジックがプロセッサ２７０によって実行される。局面では、拡張チャネル・メッセージは、ＦＬ物理フレーム構成に関するパラメータを提供するために使用される。システム構成に依存して、拡張チャネル・メッセージは更に、ＲＬ物理フレーム構成をも備えることができる。
【００４０】
ブロック５１０では、ＦＬ物理フレーム構成を決定するための決定ロジックがプロセッサ２７０によって実行される。例えば、拡張チャネル・メッセージの一部を抽出して、ＦＬ物理フレーム構成がどのように設定されたかを判定する。ブロック５１２では、ＲＬ物理フレーム構成を決定する決定ロジックがプロセッサ２７０によって実行される。例えば、ＲＬ物理フレーム構成パラメータが拡張チャネル・メッセージ内に組み込まれていると、拡張チャネル・メッセージの一部を抽出して、ＲＬ物理フレーム構成がどのように設定されたかを判定する。局面では、拡張チャネル・メッセージの一部は、ＦＬ物理チャネルを用いてＲＬ物理フレーム構成パラメータが提供されることを示すことができる。そして、ＡＰは、このＦＬ物理フレームを通常のものとして復調し、１または複数のＦＬ物理チャネルで受信されたパラメータから、ＲＬ物理フレーム構成を決定する。
【００４１】
本明細書で記述された技術は、様々な手段によって実施されうる。例えば、これらの技術は、ハードウェア、ソフトウェア、あるいはそれらの組み合わせで実現されうる。ハードウェアで実現する場合、これら技術のための処理装置（例えば、プロセッサ２３０、２７０、ＴＸプロセッサ２１４、およびＲＸプロセッサ２６０）は、例えば、特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールド・プログラム可能ゲート・アレイ（ＦＰＧＡ）、プロセッサ、コントローラ、マイクロコントローラ、マイクロプロセッサ、本明細書に記載の機能を実行するように設計されたその他の電子ユニット、またはこれらの組み合わせ内で実現されうる。
【００４２】
ソフトウェアで実現する場合、本明細書に記載の技術は、本明細書に記載の機能を実行するモジュール（例えば、手順、関数等）を用いて実現されうる。ソフトウェア・コードは、メモリ・ユニット（例えば、図２におけるメモリ２３２，２７２）に格納され、プロセッサ（例えば、コントローラ２３０）によって実行されうる。このメモリ・ユニットは、プロセッサの内部またはプロセッサの外部に実装される。プロセッサの外部に実装される場合、当該技術分野で周知の様々な手段を介してプロセッサへ通信可能に接続される。
【００４３】
本明細書では、参照のため、およびあるセクションを見つけることを助けるために見出しが含まれている。これら見出しは、本明細書に記載の概念の範囲を限定することは意図されておらず、これら概念は、明細書全体を通じて、その他のセクションにおいても適用可能である。
【００４４】
開示した局面の前述した説明は、本局面を当業者が製造したり使用することができるように提供される。これら局面に対する様々な変形は、当業者に容易に明らかになるであろう。そして、本明細書で定められた一般的な原理は、局面の精神または範囲から逸脱することなく、他の局面に適用されうる。したがって、本局面は、本明細書で示された局面に限定されるように意図されておらず、本明細書で示された原理および新規の特徴と整合した最も広いスコープが与えられることになっている。
【図面の簡単な説明】
【００４５】
【図１】図１は、１つの局面に従った多元接続無線通信システムを例示する。
【図２】図２は、通信システムのブロック図である。
【図３】図３は、スーパーフレーム・プレアンブル構成を例示する。
【図４Ａ】図４Ａは、アクセス・ポイントによって実行される処理を例示する。
【図４Ｂ】図４Ｂは、アクセス・ポイントによって実行される処理を例示する。
【図５】図５は、アクセス端末によって実行される処理を例示する。
【図１】
2009514452.tif 000003
【図２】
2009514452.tif 000004
【図３】
2009514452.tif 000005
【図４Ａ】
2009514452.tif 000006
【図４Ｂ】
2009514452.tif 000007
【図５】
2009514452.tif 000008
【国際調査報告】
2009514452.tif 000009
2009514452.tif 000010
2009514452.tif 000011